(57)【特許請求の範囲】
【請求項１】
光学ディスクの半径方向に移動し、前記光学ディスクに対して信号の読み書きを行う光学ピックアップと、
前記光学ピックアップに一端部が接続されて、前記半径方向のうちの一方に延長され、その途中で屈曲して折り返されて、前記半径方向のうちの他方に延長されるように配設されるフレキシブルプリント配線板と、
前記フレキシブルプリント配線板と前記光学ディスクとの間に設けられる、前記フレキシブルプリント配線板のうちの一部分を覆うとともに、前記光学ピックアップと前記光学ディスクとの間が遮られないように形成された開口部を有するカバーと、
前記カバーの面のうちの前記フレキシブルプリント配線板と対向する面の前記開口部の端に前記半径方向に沿って取り付けられ、前記フレキシブルプリント配線板のうちの前記カバーに覆われていない部分と、前記光学ディスクとが離間して配置されるように、前記フレキシブルプリント配線板の姿勢をガイドするガイド部品と
を備えるディスクドライブ装置。
【請求項２】
光学ディスクの半径方向に移動し、前記光学ディスクに対して信号の読み書きを行う光学ピックアップと、
前記光学ピックアップに一端部が接続されて、前記半径方向のうちの一方に延長され、その途中で屈曲して折り返されて、前記半径方向のうちの他方に延長されるように配設されるフレキシブルプリント配線板と、
前記フレキシブルプリント配線板と前記光学ディスクとの間に設けられる、前記フレキシブルプリント配線板のうちの一部分を覆うとともに、前記光学ピックアップと前記光学ディスクとの間が遮られないように形成された開口部を有するカバーと
を備え、
前記カバーは、前記フレキシブルプリント配線板のうちの前記カバーに覆われていない部分と、前記光学ディスクとが離間して配置されるように、前記開口部の端に前記半径方向に沿って形成された前記フレキシブルプリント配線板の姿勢をガイドする形状を有する
ディスクドライブ装置。
【請求項３】
光学ディスクの半径方向に移動し、前記光学ディスクに対して信号の読み書きを行う光学ピックアップと、
前記光学ピックアップに一端部が接続されて、前記半径方向のうちの一方に延長され、その途中で屈曲して折り返されて、前記半径方向のうちの他方に延長されるように配設されるフレキシブルプリント配線板と、
前記フレキシブルプリント配線板と前記光学ディスクとの間に設けられる、前記フレキシブルプリント配線板のうちの一部分を覆うとともに、前記光学ピックアップと前記光学ディスクとの間が遮られないように形成された開口部を有するカバーと、
前記カバーの面のうちの前記フレキシブルプリント配線板と対向する面の前記開口部の端に前記半径方向に沿って取り付けられ、前記フレキシブルプリント配線板のうちの前記カバーに覆われていない部分と、前記光学ディスクとが離間して配置されるように、前記フレキシブルプリント配線板の姿勢をガイドするガイド部品と
を備えるベースユニット。
【請求項４】
光学ディスクの半径方向に移動し、前記光学ディスクに対して信号の読み書きを行う光学ピックアップと、
前記光学ピックアップに一端部が接続されて、前記半径方向のうちの一方に延長され、その途中で屈曲して折り返されて、前記半径方向のうちの他方に延長されるように配設されるフレキシブルプリント配線板と、
前記フレキシブルプリント配線板と前記光学ディスクとの間に設けられる、前記フレキシブルプリント配線板のうちの一部分を覆うとともに、前記光学ピックアップと前記光学ディスクとの間が遮られないように形成された開口部を有するカバーと
を備え、
前記カバーは、前記フレキシブルプリント配線板のうちの前記カバーに覆われていない部分と、前記光学ディスクとが離間して配置されるように、前記開口部の端に前記半径方向に沿って形成された前記フレキシブルプリント配線板の姿勢をガイドする形状を有する
ベースユニット。
【発明の詳細な説明】
【技術分野】
【０００１】  本発明は、ディスクドライブ装置およびベースユニットに関し、特に、フレキシブルプリント配線板と光学ディスクとの接触を回避することができるディスクドライブ装置およびベースユニットに関する。
【背景技術】
【０００２】  従来、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）といった光学ディスクが広く知られており、これらの光学ディスクに対応した各種のディスクドライブ装置が登場している（例えば、特許文献１や特許文献２参照）。【０００３】  例えば、図１に示されるように、このような従来のディスクドライブ装置２は、ノート型パーソナルコンピュータ１の装置本体１ａに搭載されて、装置本体１ａから供給される情報信号を光学ディスク（例えば、後述する図３の光ディスク３）に対して記録したり、光学ディスクに記録されている情報信号を読み出して（再生して）装置本体１ａに供給する。【０００４】  従来のディスクドライブ装置２には、図２に示されるような筐体１１が設けられており、また、この筐体１１の中に収納される、図３に示されるような、ディスクトレイ１２と、そのディスクトレイ１２に取り付けられたディスクドライブユニット、即ち、ターンテーブル１５、光学ピックアップ１６、フレキシブルプリント配線板（以下、ＦＰＣと称する）１７等から構成されるディスクドライブユニットが設けられている。【０００５】  また、従来のディスクドライブ装置２には、このディスクトレイ１２の前面（図３中左側の面）に取り付けられる、筐体１１のトレイ出入口を開閉する略矩形平板状の前面パネル１３が設けられており、この前面パネル１３の前面に、ディスクトレイ１２を筺体１１からイジェクトする際に押圧されるイジェクト釦１４が設けられている。【０００６】  また、従来のディスクドライブ装置２には、ディスクトレイ１２の下面とＦＰＣ１７との間に、化粧板１８（以下、トップカバー１８と称する）が設けられており、ＦＰＣ１７の下面の下方に、化粧版１９（以下、ボトムカバー１９と称する）が設けられている。【０００７】  ターンテーブル１５は、それに装着された光ディスク３を回転駆動する。【０００８】  光学ピックアップ１６は、ターンテーブル１５により回転駆動される光ディスク３の半径方向に移動し（以下、このような移動の動作を、送り動作と称する。また、送り動作の方向を、送り方向と称する）、その光ディスク３に対して信号の書き込みまたは読み出しの動作を行う。従って、光学ピックアップ１６と光ディスク３の下面との間が遮られないように、トップカバー１８には、図３に示されるような、光学ピックアップ１６の送り方向に対して略垂直な方向（以下、幅方向と称する）に所定の間隔だけ開口している開口部１８ａが設けられている。【０００９】  光学ピックアップ１６とパーソナルコンピュータ１等との間でやり取りされる各種信号、例えば、上述した光ディスク３に対して信号の書き込みまたは読み出しの動作を行うための指令信号や、書き込みまたは読み出しの対象となる信号を伝送する各種信号線は、ＦＰＣ１７に配線される。【００１０】  このため、ＦＰＣ１７は、その一端部が、光学ピックアップ１６に接続され、その他端部が、光学ピックアップ１６の下方であってターンテーブル１５の下方近傍に配置される図示せぬコネクタに接続される。即ち、ＦＰＣ１７は、光学ピックアップ１６に一端部が接続されて、光学ピックアップ１６の送り方向のうちの一方（図３中略左方）に延長され、その途中で屈曲して折り返されて、送り方向のうちの他方（図３中略右方）に延長されるように配設される。従って、ＦＰＣ１７は、後述する図６に示されるように、屈曲部１７ａを有することになり、光学ピックアップ１６とコネクタとの間で引き回される。即ち、光学ピックアップ１６の送り動作に応じて、ＦＰＣ１７の屈曲部１７ａの位置（送り方向の位置）も移動していくことになる。【００１１】  図４は、図２の筺体１１が取り外され、かつ、図３のトップカバー１８が取り外された、ディスクドライブ装置２の斜視図を示している。
【特許文献１】特開２００１−２２９６５９号公報
【特許文献２】特開２００１−３２５７４０号公報
【発明の開示】
【発明が解決しようとする課題】
【００１２】  ところで、最近、図３に示される光学ピックアップ１６として、ＣＤやＤＶＤといった異なる光ディスク３の記録フォーマットのそれぞれに対応可能なものが採用されることが多くなっている。このような光学ピックアップ１６が採用された場合、異なる記録フォーマットに対応可能なように光学ピックアップ１６を駆動制御するための信号線の数、即ち、ＦＰＣ１７の配線数は増加することになる。その結果、ＦＰＣ１７の幅が広くなり、図３に示されるように、ＦＰＣ１７の全てがトップカバー１８により覆われなくなる。即ちＦＰＣ１７の一部がトップカバー１８から幅方向にはみ出すことになる。【００１３】  このような場合、ＦＰＣ１７のうちのトップカバー１８から幅方向にはみ出した部分が、トップカバー１８の上方向にもはみ出して光ディスク３と摺接することが多くなり、その結果、ＦＰＣ１７に配線された信号線を傷付けたり、この信号線を流れる信号に悪影響を与えてしまうといった問題が発生してしまう。【００１４】  以下、図５乃至図７を参照して、この問題についてさらに説明する。【００１５】  図５と図６は、図３の線Ａ−Ａ’における、光ディスク３が装着された従来のディスクドライブ装置２の断面図を示している。【００１６】  詳細には、図５は、（図３等他の図面では図示されていないが）その全てがトップカバー１８により覆われた幅狭のＦＰＣ１７、即ち、トップカバー１８から幅方向にはみ出していないＦＰＣ１７を搭載している、従来のディスクドライブ装置２の断面図を示している。【００１７】  図５に示されるように、ＦＰＣ１７は、その全てがトップカバー１８により覆われているので、即ち、幅方向にはみ出していないので、当然ながら光ディスク３と接触する（摺接する）ことはない。【００１８】  これに対して、図６は、図３に示されているような、その全てがトップカバー１８により覆われていない幅広のＦＰＣ１７、即ち、トップカバー１８からその一部が幅方向にはみ出しているＦＰＣ１７を搭載している、従来のディスクドライブ装置２の断面図を示している。【００１９】  図６に示されるように、屈曲部１７ａに上方向の逃げの力（同図中矢印で示される力）が働き、その結果、ＦＰＣ１７のうちのトップカバー１８から幅方向にはみ出している部分の少なくとも一部が、トップカバー１８より上方にはみだし、光ディスク３の下面と接触してしまう（摺接してしまう）。即ち、上述した問題が発生してしまう。【００２０】  図７は、図３の線Ｂ−Ｂ’における、図６と同一のＦＰＣ１７（幅広のＦＰＣ１７）を搭載している、従来のディスクドライブ装置２の断面図を示している。【００２１】  この図７からも、ＦＰＣ１７ののうちのトップカバー１８からは幅方向にはみ出している部分の少なくとも一部が、トップカバー１８より上方にはみだし、光ディスク３の下面と接触してしまう（摺接してしまう）ことがわかる。即ち、図７からも、上述した問題が発生してしまうことがわかる。【００２２】  なお、このような問題を解決するために、例えば、ＦＰＣ１７の剛性を上げるという案、具体的には、例えば、ＦＰＣ１７の厚みを大きくするという案も考えられる。ＦＰＣ１７のうちのトップカバー１８で覆われている部��が、屈曲部１７ａの上方に逃げる力を保持することができ、その結果、ＦＰＣ１７のうちのトップカバー１８から幅方向にはみ出している部分の上方へのはみだし量を小さくすることができるからである。【００２３】  しかしながら、この案では、ＦＰＣ１７全体の剛性が上がり、屈曲部１７ａの負荷が大きくなり、その結果、光学ピックアップ１６に送り動作を行わせる図示せぬモータ、即ち、光学ピックアップ１６を光ディスク３の内外周（半径方向）に駆動するモータのトルクが大きくなってしまう、といった新たな問題が発生してしまうことになる。【００２４】  本発明は、このような状況に鑑みてなされたものであり、ＦＰＣ（フレキシブルプリント配線板）と光学ディスクとの接触を回避することができるようにするものである。
【課題を解決するための手段】
【００２５】
本発明の第１のディスクドライブ装置は、光学ディスクの半径方向に移動し、その光学ディスクに対して信号の読み書きを行う光学ピックアップと、光学ピックアップに一端部が接続されて、半径方向のうちの一方に延長され、その途中で屈曲して折り返されて、半径方向のうちの他方に延長されるように配設されるフレキシブルプリント配線板と、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーと、カバーの面のうちのフレキシブルプリント配線板と対向する面の開口部の端に半径方向に沿って取り付けられ、フレキシブルプリント配線板のうちのカバーに覆われていない部分と、光学ディスクとが離間して配置されるように、フレキシブルプリント配線板の姿勢をガイドするガイド部品とを備える。
【００２６】
即ち、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーの面のうちのフレキシブルプリント配線板と対向する面の開口部の端に半径方向に沿って取り付けられたガイド部品により、フレキシブルプリント配線板の姿勢が、フレキシブルプリント配線板のうちのカバーに覆われていない部分と、光学ディスクとが離間して配置されるようにガイドされる。
【００２７】
本発明の第２のディスクドライブ装置は、光学ディスクの半径方向に移動し、その光学ディスクに対して信号の読み書きを行う光学ピックアップと、光学ピックアップに一端部が接続されて、半径方向のうちの一方に延長され、その途中で屈曲して折り返されて、半径方向のうちの他方に延長されるように配設されるフレキシブルプリント配線板と、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーとを備え、カバーは、フレキシブルプリント配線板のうちのカバーに覆われていない部分と、光学ディスクとが離間して配置されるように、開口部の端に半径方向に沿って形成された前記フレキシブルプリント配線板の姿勢をガイドする形状を有する。
【００２８】
即ち、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーの開口部の端に半径方向に沿って形成された形状により、フレキシブルプリント配線板の姿勢が、フレキシブルプリント配線板のうちのカバーに覆われていない部分と、光学ディスクとが離間して配置されるようにガイドされる。
【００２９】
本発明の第１のベースユニットは、光学ディスクの半径方向に移動し、その光学ディスクに対して信号の読み書きを行う光学ピックアップと、光学ピックアップに一端部が接続されて、半径方向のうちの一方に延長され、その途中で屈曲して折り返されて、半径方向のうちの他方に延長されるように配設されるフレキシブルプリント配線板と、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーと、カバーの面のうちのフレキシブルプリント配線板と対向する面の開口部の端に半径方向に沿って取り付けられ、フレキシブルプリント配線板のうちのカバーに覆われていない部分と、光学ディスクとが離間して配置されるように、フレキシブルプリント配線板の姿勢をガイドするガイド部品とを備える。
【００３０】
即ち、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーの面のうちのフレキシブルプリント配線板と対向する面の開口部の端に半径方向に沿って取り付けられたガイド部品により、フレキシブルプリント配線板の姿勢が、フレキシブルプリント配線板のうちのカバーに覆われていない部分と、光学ディスクとが離間して配置されるようにガイドされる。
【００３１】
本発明の第２のベースユニットは、光学ディスクの半径方向に移動し、その光学ディスクに対して信号の読み書きを行う光学ピックアップと、光学ピックアップに一端部が接続されて、半径方向のうちの一方に延長され、その途中で屈曲して折り返されて、半径方向のうちの他方に延長されるように配設されるフレキシブルプリント配線板と、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーとを備え、カバーは、フレキシブルプリント配線板のうちのカバーに覆われていない部分と、光学ディスクとが離間して配置されるように、開口部の端に半径方向に沿って形成された前記フレキシブルプリント配線板の姿勢をガイドする形状を有する。
【００３２】
即ち、フレキシブルプリント配線板と光学ディスクとの間に設けられる、フレキシブルプリント配線板のうちの一部分を覆うとともに、光学ピックアップと光学ディスクとの間が遮られないように形成された開口部を有するカバーの開口部の端に半径方向に沿って形成された形状により、フレキシブルプリント配線板の姿勢が、フレキシブルプリント配線板のうちのカバーに覆われていない部分と、光学ディスクとが離間して配置されるようにガイドされる。
【発明の効果】
【００３３】  以上のごとく、本発明によれば、幅広のＦＰＣ（フレキシブルプリント配線板）を搭載したディスクドライブ装置またはベースユニットを提供することができる。特に、そのＦＰＣの一部がトップカバーから幅方向にはみだした場合であっても、そのＦＰＣのはみだした部分と光学ディスクとの接触を回避することができる。
【図面の簡単な説明】
【００３４】［図１］従来のディスクドライブ装置を搭載したパーソナルコンピュータの外観の構成例を示す図である。
［図２］従来のディスクドライブ装置の外観の構成例を示す図である。
［図３］図２の筺体が取り外された、従来のディスクドライブ装置の外観の構成例を示す図である。
［図４］図３のトップカバーが取り外された、従来のディスクドライブ装置の外観の構成例を示す図である。
［図５］ＦＰＣの全てがトップカバーに覆われている状態を示す、従来のディスクドライブ装置の断面図の一例である。
［図６］ＦＰＣの一部分がトップカバーに覆われていない状態を示す、図３の従来のディスクドライブ装置の、線Ａ−Ａ’における断面図の一例である。
［図７］ＦＰＣの一部分がトップカバーに覆われていない状態を示す、図３の従来のディスクドライブ装置の、線Ｂ−Ｂ’における断面図の一例である。
［図８］筺体が取り外された、本発明が適用されるディスクドライブ装置の外観の構成例を示す図である。
［図９］本発明が適用される図８のディスクドライブ装置の、線Ｃ−Ｃ’における断面図の一例であって、図８のガイド部品を説明する図である。
［図１０］図８と図９のガイド部品としては不適な従来の摺動テープがトップカバーに取り付けられた場合の、図８のディスクドライブ装置の、線Ｃ−Ｃ’における断面図の一例である。
［図１１］図８と図９のガイド部品の代わりに、そのガイド部品の機能と同様の機能を持つ形状を有するトップカバーが採用された場合の、図８のディスクドライブ装置の、線Ｃ−Ｃ’における断面図の一例である。
【符号の説明】
【００３５】  ３  光ディスク，１０１  ディスクドライブ装置，１１４  光学ピックアップ，１１６  ＦＰＣ（フレキシブルプリント配線板），１１７  トップカバー，１１７ａ  開口部，１１７ｂ  ガイド形状，１１８  ガイド部品，１１９  ボトムカバー
【発明を実施するための最良の形態】
【００３６】  以下、図面を参照して、本発明の実施の形態について説明する。【００３７】  図８は、本発明が適用されるディスクドライブ装置であって、筺体から取り外されたディスクドライブ装置の一実施の形態、換言すると、本発明が適用されるベースユニットを含むディスクドライブ装置の斜視図を示している。【００３８】  このディスクドライブ装置１０１は、上述した図１の従来のディスクドライブ装置２と同様に、例えば、図１のノート型パーソナルコンピュータ１の装置本体１ａに搭載されて、装置本体１ａから供給される情報信号を光学ディスクに対して記録したり、光学ディスクに記録されている情報信号を読み出して（再生して）装置本体１ａに供給することができる。【００３９】  なお、以下、説明の簡略上、ディスクドライブ装置１０１には、例えば、上述した図３の光ディスク３が装着されるとして説明していく。【００４０】  このディスクドライブ装置１０１は、ハードディスクドライブ（ＨＤＤ）ユニットと同等の厚みである９．５ｍｍ程度にまで装置全体が薄型化された超薄型構造を有している。【００４１】  このディスクドライブ装置１０１には、図示はしないが、実際には、図２の従来のディスクドライブ装置２の筺体１１と同様の筐体が設けられており、この筐体の中に収納される、図８に示される部分、即ち、ディスクトレイ１１１や、そのディスクトレイ１１１に取り付けられたディスクドライブユニット等で構成される部分が設けられている。このディスクドライブユニットは、図２の従来のディスクドライブ装置２のディスクドライブユニットと同様に、ターンテーブル１１４、光学ピックアップ１１５、ＦＰＣ１１６等から構成される。【００４２】  なお、以下、このディスクドライブユニットに対して、後述するトップカバー１１７が少なくとも付加されたユニットを、ベースユニットと称する。【００４３】  またディスクドライブ装置１０１には、従来のディスクドライブ装置２と同様に、このディスクトレイ１１１の前面（図８中左側の面）に取り付けられる、図示せぬ筐体のトレイ出入口を開閉する略矩形平板状の前面パネル１１２が設けられており、この前面パネル１１２の前面に、ディスクトレイ１１１を筺体からイジェクトする際に押圧されるイジェクト釦１１３が設けられている。【００４４】  なお、筺体の詳細な説明や、その筺体へのディスクトレイ１１１の収納や取り出し（イジェクト）の詳細な説明については、本発明と直接関係なく、また、当業者にとって容易に理解できる内容であるので、本明細書では省略する。【００４５】  ところで、ターンテーブル１１４は、図示せぬ駆動機構の制御に基づいて、それに装着された光ディスク３を回転駆動する。【００４６】  光学ピックアップ１１５は、図示せぬ送り機構の制御に基づいて送り動作を行い、ＦＰＣ１１６から供給される各種指令に基づいて、光ディスク３に対して信号の書き込みまたは読み出しの動作を行う。【００４７】  光学ピックアップ１１５とパーソナルコンピュータ１等との間でやり取りされる各種信号、例えば、上述した光ディスク３に対して信号の書き込みまたは読み出しの動作を行うための指令信号や、書き込みまたは読み出しの対象となる信号を伝送する各種信号線は、ＦＰＣ１１６に配線される。【００４８】  このため、ＦＰＣ１１６は、その一端部が、光学ピックアップ１１５に接続され、その他端部が、光学ピックアップ１１５の下方であってターンテーブル１１４の下方近傍に配置される図示せぬコネクタに接続される。即ち、ＦＰＣ１１６は、光学ピックアップ１１５に一端部が接続されて、光学ピックアップ１１５の送り方向のうちの一方（図８中略左方）に延長され、その途中で屈曲して折り返されて、送り方向のうちの他方（図８中略右方）に延長されるように配設される。従って、ＦＰＣ１１６も、上述した図６の従来のＦＰＣ１７の屈曲部１７ａと同様な屈曲部を有することになり、光学ピックアップ１１５とコネクタとの間で引き回される。即ち、光学ピックアップ１１５の送り動作に応じて、ＦＰＣ１７の屈曲部の位置（送り方向の位置）も移動していくことになる。【００４９】  このように、ディスクトレイ１１１乃至ＦＰＣ１１６のそれぞれは、上述した図３の従来のディスクトレイ１２乃至ＦＰＣ１７のそれぞれと、基本的に同様の機能と構成を有している。換言すると、ディスクトレイ１１１乃至ＦＰＣ１１６のそれぞれとして、従来のディスクトレイ１２乃至ＦＰＣ１７のそれぞれをそのまま適用することも可能である。【００５０】  従って、ディスクトレイ１１１乃至ＦＰＣ１１６のそれぞれの機能や構成のさらなる詳細については、本発明と直接関係がないと言え、また、当業者にとって容易に理解できる内容であるので、それらの説明については省略する。【００５１】  また、図示せぬ、ターンテーブル１１４の駆動機構、光学ピックアップ１１５の送り機構（送り動作を行わせる機構）、その他ディスクドライブ装置１０１の各種駆動機構についても、本発明と直接関係がないと言え、また、当業者にとって容易に理解できる内容であるので、それらの詳細な説明については省略する。【００５２】  ところで、本実施の形態のディスクドライブ装置１０１（ベースユニット）にも、ディスクトレイ１１１とＦＰＣ１１６との間に、トップカバー１１７が設けられており、ＦＰＣ１１６の下方に、ボトムカバー１１９が設けられている。【００５３】  そして、トップカバー１１７にも、光学ピックアップ１１５と光ディスク３との間が遮られないように、図８に示されるような、幅方向に所定の間隔だけ開口している開口部１１７ａが設けられている。【００５４】  このため、図８に示されるように、幅広のＦＰＣ１１６が搭載される場合、ＦＰＣ１１６のうちの少なくとも一部分が、トップカバー１１７から幅方向にはみ出すことがある。このような場合、何の処置も施さないと、ＦＰＣ１１６のうちのトップカバー１１７から幅方向にはみ出した部分（図８に示されている部分）のうちの少なくとも一部が、トップカバー１１７の上方にもはみ出し、光ディスク３の下面と接触してしまう（摺接してしまう）ことになる。即ち、上述した従来の問題が発生してしまうことになる。【００５５】  そこで、この従来の問題の発生を防止するために、即ち、従来の課題を解決するために、本実施の形態のディスクドライブ装置１０１（本実施の形態のベースユニット）には、図８に示されるように、上方へのＦＰＣ１１６のはみ出しを防��するための部品１１８が、トップカバー１１７の下面のうちの、同図に示される点線枠に対応する部分に設置されているのである。【００５６】  図９を参照して、本発明の特徴のひとつであるこの部品１１８についてさらに詳しく説明する。即ち、図９は、部品１１８の機能を容易に理解させるための図であって、図８の線Ｃ−Ｃ’における、光ディスク３が装着された本実施の形態のディスクドライブ装置１０１（ベースユニット）の断面図を示している。【００５７】  図９に示されるように、部品１１８は、トップカバー１１７の下面（ＦＰＣ１１６と対向する面）にＦＰＣ１１６の姿勢をガイドするように取り付けられている。このため、以下、部品１１８をガイド部品１１８と称する。【００５８】  即ち、ＦＰＣ１１６のうちのトップカバー１１７から幅方向（図９中Ｃ−Ｃ’方向）にはみ出している部分と、光ディスク３との間にすきまｄが形成されるように、ガイド部品１１８がトップカバー１１７の裏面に取り付けられている。【００５９】  換言すると、ガイド部品１１８は、ＦＰＣ１１６の姿勢をガイドする機能、即ち、ＦＰＣ１１６のうちのトップカバー１１７から幅方向（図９中Ｃ−Ｃ’方向）にはみ出している部分と、光ディスク３との間にすきまｄを形成する機能を有していれば、その形態は特に限定されず、様々な形態を取ることが可能である。【００６０】  なお、ガイド部品１１８は、すきまｄが常に一定間隔となる機能までは有する必要はない。即ち、光学ピックアップ１１５の送り動作に追従するＦＰＣ１１６の屈曲部の移動に応じてすきまｄの間隔は可変してもよく、ガイド部品１１８は、単に、すきまｄが取り得る間隔のうちの最低間隔が少なくとも０ｍｍを超える機能を有していればよい。【００６１】  具体的には、例えば、ガイド部品１１８は、摺動テープ等で構成することができる。【００６２】  ただし、例えば、図１０に示されるような、従来の摺動テープ１３１がそのまま使用されても、その摺動テープ１３１は、ガイド部品１１８であるとは言えない。【００６３】  なぜならば、摺動テープ１３１は、ＦＰＣ１１６の姿勢をガイドする機能、即ち、ＦＰＣ１１６のうちのトップカバー１１７から幅方向（図９中Ｃ−Ｃ’方向）にはみ出している部分と、光ディスク３との間にすきまｄを形成する機能を有していないからである。【００６４】  詳細には、摺動テープ１３１は、従来、トップカバー１１７とＦＰＣ１１６とが接触するときの抵抗値を下げることを目的として使用されている。このため、摺動テープ１３１の幅（図１０中、線Ｃ−Ｃ’方向の長さ）は、ＦＰＣ１１６のうちのトップカバー１１７から幅方向（図１０中Ｃ−Ｃ’方向）にはみ出していない部分の長さ、即ち、ＦＰＣ１１６のうちのトップカバー１１７に接触する部分の長さとほぼ同一となっている。従って、このような幅を有する摺動テープ１３１が、図１０に示されるように、トップカバー１１７の下面にそのまま貼り付けられても（取り付けられても）、ＦＰＣ１１６のうちのトップカバー１１７から幅方向（図１０中Ｃ−Ｃ’方向）にはみ出している部分と、光ディスク３との間に充分なすきま（図９のようなすきまｄ）が形成されないからである。【００６５】  以上、図８乃至図１０を参照して、本発明が適用される、ディスクドライブ装置１０１（ベースユニット）の構成例について説明した。【００６６】  このような構成を有するディスクドライブ装置１０１（ベースユニット）は、光ディスク３を保持するディスクトレイ１１１が図示せぬ筐体に収容された状態において、例えば、図１のパーソナルコンピュータ１から記録または再生の指令が送られると、この指令に基づいて、光ディスク３に対する情報信号の記録又は再生（読み出し）を行う。具体的には、図８の例では、ターンテーブル１１４が（図示せぬ駆動機構の制御に基づいて）光ディスク３を回転駆動し、光学ピックアップ１１５が（図示せぬ送り機構の制御に基づいて）光ディスク３の半径方向に移動しながら、光ディスク３に対して信号の書き込みまたは読み出し動作を行う。【００６７】  このとき、図９に示されるように、ＦＰＣ１１６は、トップカバー１１７の下面に取り付けられたガイド部品１１８によりその姿勢がガイドされ、光ディスク３の下面と離間して配置される（すきまｄが形成される）。従って、ＦＰＣ１１６のうちのトップカバー１１７から幅方向にはみ出した部分が、トップカバー１１７の上方向にはみ出して光ディスク３と摺接してしまう、といった問題は解消される。その結果、従来の課題を解決することが可能になる。即ち、このＦＰＣ１１６に配線された信号線を傷付けたり、この信号線を流れる信号に悪影響を与えてしまう、といった問題は解消される。【００６８】  ところで、従来の課題を解決するために、上述した例では、トップカバー１１７にガイド部品１１８が取り付けられたが、このガイド部品１１８を取り付けずに、例えば、トップカバー１１７自身が、図１１に示されるように、ＦＰＣ１１６の姿勢をガイドする形状１１７ｂ（凸形の形状であって、以下、ガイド形状１１７ｂと称する）を有するように形成されてもよい。【００６９】  換言すると、ガイド部品１１８が有する機能、即ち、ＦＰＣ１１６のうちのトップカバー１１７から幅方向（図９や１１中Ｃ−Ｃ’方向）にはみ出している部分と、光ディスク３との間にすきまｄを形成する機能は、ガイド部品１１８に持たせる必要は特になく、ディスクドライブ装置１０１（或いはそのベースユニット）を構成する部品のうちの任意の部品に移譲することが可能である。その具体例として、図１１には、その機能が移譲された（その機能を持つガイド形状１１７ｂを有する）トップカバー１１７が図示されているのである。【００７０】  なお、本発明は、上述した光ディスク３以外にも光磁気ディスク等の光学ディスク、或いはこれら光学ディスクがディスクカートリッジに収納されたものに対して情報信号の記録や再生を行うディスクドライブ装置またはそのベースユニットにも適用可能である。【００７１】  また、本発明は、上述した図８に示されるような、ディスクトレイ１１１にディスクドライブユニットが取り付けられたトレイ型のディスクドライブ装置１０１に限らず、筐体の前面に設けられたディスク挿脱口から光学ディスクが挿脱されるスロットイン型のディスクドライブ装置（図示せず）にも適用可能である。
【図１】
0004674584.tif 000002
【図２】
0004674584.tif 000003
【図３】
0004674584.tif 000004
【図４】
0004674584.tif 000005
【図５】
0004674584.tif 000006
【図６】
0004674584.tif 000007
【図７】
0004674584.tif 000008
【図８】
0004674584.tif 000009
【図９】
0004674584.tif 000010
【図１０】
0004674584.tif 000011
【図１１】
0004674584.tif 000012